(57)【特許請求の範囲】
【請求項１】
駐車室内の検知エリアでセンサが物体を検知することで運転ロックがかかり、有効な安全確認操作部を操作することで前記運転ロックが解除される機械式駐車設備の安全確認装置であって、
少なくとも前記駐車室内の車両配置部の周囲に設定された複数の検知エリアにおいて物体を検知するそれぞれのセンサと、
前記複数の検知エリアをそれぞれ見渡せる位置に配置された各々の安全確認操作部と、
前記複数の検知エリアにおける物体の検知状況に応じて前記各々の安全確認操作部を有効にし、有効な安全確認操作部が操作されると該安全確認操作部を無効にし、全ての安全確認操作部が無効になると前記運転ロックを解除する、制御装置と、を備えていることを特徴とする安全確認装置。
【請求項２】
前記複数の安全確認操作部は、入出庫口から駐車室内の車両左側方を見渡せる左位置と車両右側方を見渡せる右位置とに備えられている請求項１に記載の安全確認装置。
【請求項３】
前記制御装置は、前記車両配置部の左側方における検知エリアで物体を検知すると前記左位置の安全確認操作部を有効にし、
前記車両配置部の右側方における検知エリアで物体を検知すると前記右位置の安全確認操作部を有効にするように構成されている請求項２に記載の安全確認装置。
【請求項４】
前記センサは、前記車両配置位置の前方位置において物体を検知するように配置された前部センサをさらに有し、
前記前部センサが物体を検知する位置を見渡すことができる駐車室内の前部左右位置に前部安全確認操作部がそれぞれ配設されている請求項１〜３のいずれか１項に記載の安全確認装置。
【請求項５】
前記制御装置は、前記複数の検知エリアの１つの検知エリアにおいてセンサが物体を検知することで、複数の安全確認操作部を有効にするように構成されている請求項１〜４のいずれか１項に記載の安全確認装置。
【請求項６】
前記制御装置は、それぞれの位置から同一検知エリアの安全確認ができる複数の安全確認操作部について、１つの安全確認操作部を操作することで他の安全確認操作部が無効となるように構成されている請求項１〜５のいずれか１項に記載の安全確認装置。
【請求項７】
前記駐車室内の車両を検知する車両検知センサをさらに備え、
前記制御装置は、前記車両検知センサで車両が検知されないときは、前記複数の安全確認操作部のいずれかが操作されることで他の有効となっている全ての安全確認操作部を無効にするように構成されている請求項１〜６のいずれか１項に記載の安全確認装置。
【請求項８】
前記複数の安全確認操作部は、一つが最終安全確認操作部として構成され、
前記最終安全確認操作部は、他の有効となっている全ての安全確認操作部を操作した後に操作することで無効となるように構成されている請求項１〜７のいずれか１項に記載の安全確認装置。
【請求項９】
前記複数の安全確認操作部は、出入口付近に備えられ、該安全確認操作部に近接する位置に扉閉鎖部が配設されている請求項１〜８のいずれか１項に記載の安全確認装置。
【請求項１０】
前記複数の安全確認操作部は、点灯部を有し、
前記点灯部は、有効な安全確認操作部と無効な安全確認操作部とで点灯方法又は点灯色が異なるように構成されている請求項１〜９のいずれか１項に記載の安全確認装置。
【請求項１１】
請求項１〜１０のいずれか１項に記載の安全確認装置を備えたことを特徴とする機械式駐車設備。
【発明の詳細な説明】
【技術分野】
【０００１】
本発明は、機械式駐車設備の駐車室に人が居ないことなどを確認して運転ロックを解除する安全確認装置に関する。
【背景技術】
【０００２】
従来、機械式駐車設備の駐車室内には、人や車両のはみ出しを検知するために複数の検知センサ（以下、単に「センサ」という）が設置されている。そして、これらのセンサが車両の入出庫や利用者の出入りを検知すると、制御装置が運転ロックをかけるようにした安全確認装置が備えられている。この安全確認装置によって運転ロックがかかった状態では、入口扉閉鎖操作や呼び操作（出庫車又は空のパレットなどの自動車搬送手段を駐車室に移動させる操作）ができないロック状態が保たれる。そして、入出庫が完了して利用者が駐車室から出て、駐車室内の安全を確認し、安全確認ボタンを押すと安全確認装置による運転ロックが解除されて、入口扉閉鎖操作や呼び操作が可能となる。
【０００３】
上記安全確認ボタンは、通常、操作盤又は操作盤付近に１個が設置されている。そのため、安全確認ボタンを押す位置から駐車室内が見渡せなかったり、入庫車両の反対側などが死角になる場合には、利用者が移動して安全確認をするために多くの時間を要する場合がある。
【０００４】
一方、上記入口扉開閉操作をリモコンで車両内から行うものがある。しかし、車両内からのリモコン操作の場合、十分な安全確認をしないまま入口扉閉鎖操作をして駐車室内に人が閉じ込められるおそれがある。
【０００５】
そこで、本出願人が先に出願した発明では、リモコンによる入口扉閉鎖操作を、入出庫口の外部付近から駐車室内の内部リモコン受信機に対して行うようにすることで、入出庫口の外部付近で停車して駐車室内を目視確認して入口扉を閉めるようにしている（例えば、特許文献１参照）。
【０００６】
また、他の先行技術として、入庫作業が完了した後、場内から退出する前に押す場内安全確認釦と、場内から退出後入庫作業が完了した後に押す終了扉閉鎖釦とを備えさせたものもある（例えば、特許文献２参照）。
【先行技術文献】
【特許文献】
【０００７】
【特許文献１】特開２００９−９１７９９号公報
【特許文献２】特開２００３−９７０７６号公報
【発明の概要】
【発明が解決しようとする課題】
【０００８】
しかし、上記特許文献１のように、入出庫口の外部付近から内部リモコン受信機に向けてリモコン操作で入口扉を閉める方法を採用したとしても、死角の存在を考慮した多角的な目視確認は利用者の自主性に頼らざるを得ず、内部に人などがいる状態で入出庫口を閉めてしまうおそれがある。
【０００９】
また、上記特許文献２では、車両が無い場合でも場内安全確認釦を押す必要があり、利用者によっては、退出後に気づいて場内に戻って押すことになるなど、煩雑な操作と時間を要する場合もある。
【００１０】
そこで、本発明は、機械式駐車設備の駐車室内における安全確認を、状況に応じて適切かつ迅速に行うことができる安全確認装置と、それを備えた機械式駐車設備を提供することを目的とする。
【課題を解決するための手段】
【００１１】
上記目的を達成するために、本発明に係る安全確認装置は、駐車室内の検知エリアでセンサが物体を検知することで運転ロックがかかり、有効な安全確認操作部を操作することで前記運転ロックが解除される機械式駐車設備の安全確認装置であって、少なくとも前記駐車室内の車両配置部の周囲に設定された複数の検知エリアにおいて物体を検知するそれぞれのセンサと、前記複数の検知エリアをそれぞれ見渡せる位置に配置された各々の安全確認操作部と、前記複数の検知エリアにおける物体の検知状況に応じて前記各々の安全確認操作部を有効にし、有効な安全確認操作部が操作されると該安全確認操作部を無効にし、全ての安全確認操作部が無効になると前記運転ロックを解除する、制御装置と、を備えている。この明細書及び特許請求の範囲の書類中における「運転ロック」は、機械式駐車設備の入口扉閉鎖操作や呼び操作を禁止することをいう。また、「安全確認操作の有効」は、安全が確認される前の状態、「安全確認操作部の無効」は、安全が確認された後の状態をいう。
【００１２】
この構成により、駐車室内の複数の検知エリアのいずれかにおいて物体を検知すると運転ロックがかかり、その検知エリアを見渡せる位置に配設された安全確認操作部が有効になり、物体を検知した検知エリアを見渡しながら対応した安全確認操作部を操作して全て無効にすることで運転ロックを解除するようにできる。そのため、各検知エリアにおいて迅速に見渡しながら安全確認操作部を操作することができ、効率良く安全確認を行うことができる。
【００１３】
また、前記複数の安全確認操作部は、入出庫口から駐車室内の車両左側方を見渡せる左位置と車両右側方を見渡せる右位置とに備えられていてもよい。
【００１４】
このように構成すれば、車両の左側方又は右側方の検知エリアを安全確認操作部の位置から見渡しながら安全確認操作部を操作して運転ロックを解除するようにできる。
【００１５】
また、前記制御装置は、前記車両配置部の左側方における検知エリアで物体を検知すると前記左位置の安全確認操作部を有効にし、前記車両配置部の右側方における検知エリアで物体を検知すると前記右位置の安全確認操作部を有効にするように構成されていてもよい。
【００１６】
このように構成すれば、車両配置部の左右位置におけるいずれかで物体を検知した場合、その検知エリアに対応した左右位置のいずれかの安全確認操作部を有効にして、安全確認が必要な側の安全確認操作部のみで運転ロックを解除するようにできる。
【００１７】
また、前記センサは、前記車両配置部の前方位置において物体を検知するように配置された前部センサをさらに有し、前記前部センサが物体を検知する位置を見渡すことができる駐車室内の前部左右位置に前部安全確認操作部がそれぞれ配設されていてもよい。
【００１８】
このように構成すれば、例えば、駐車室内の奥の方の車両配置部前方で、車両によって隠れるエリアでかつ左右に行き来しづらい場合でも、車両前方を目視で確認して駐車室内の前部左右位置に配設された前部安全確認操作部を操作することで安全確認を行なうことができ、車両前方の安全確認を迅速に行なうことができる。
【００１９】
また、前記制御装置は、前記複数の検知エリアの１つの検知エリアにおいてセンサが物体を検知することで、複数の安全確認操作部を有効にするように構成されていてもよい。
【００２０】
このように構成すれば、１つの検知エリアにおいて安全センサが検知することで複数の安全確認操作部が有効になるので、それら複数の安全確認操作部の位置から駐車室内全体を目視で確認しながら安全確認操作部を操作するようにできる。
【００２１】
また、前記制御装置は、それぞれの位置から同一検知エリアの安全確認ができる複数の安全確認操作部について、１つの安全確認操作部を操作することで他の安全確認操作部が無効となるように構成されていてもよい。
【００２２】
このように構成すれば、駐車室内の状況に応じて１つの安全確認操作部を操作することで他の安全確認操作部を無効にすることができるので、利用者が安全確認のために移動する距離を短縮することができる。
【００２３】
また、前記駐車室内の車両を検知する車両検知センサをさらに備え、前記制御装置は、前記車両検知センサで車両が検知されないときは、前記複数の安全確認操作部のいずれかが操作されることで他の有効となっている全ての安全確認操作部を無効にするように構成されていてもよい。
【００２４】
このように構成すれば、車両検知センサによって車両が検知されていない場合は、有効となっている複数の安全確認操作部の一部が操作されることで他の有効となっている全ての安全確認操作部を無効にして、利用者の利便性を向上させることができる。
【００２５】
また、前記複数の安全確認操作部は、一つが最終安全確認操作部として構成され、前記最終安全確認操作部は、他の有効となっている全ての安全確認操作部を操作した後に操作することで無効となるように構成されていてもよい。
【００２６】
このように構成すれば、複数の箇所で安全確認を行なって有効となっている安全確認操作部を全て押したことを、最終安全確認操作部を操作することで確認することができる。つまり、最終安全確認操作部は、他の有効な安全確認操作部の位置で安全確認をして安全確認操作部を操作した後に操作しないと運転ロックが解除されないので、有効な安全確認操作部の操作忘れを防ぐことができる。
【００２７】
また、前記複数の安全確認操作部は、出入口付近に備えられ、該安全確認操作部に近接する位置に扉閉鎖部が配設されていてもよい。
【００２８】
このように構成すれば、出入口付近に備えられた安全確認操作部を操作して運転ロックが解除されたら、その場で扉閉鎖部を操作して迅速に入口扉を閉鎖することができる。
【００２９】
また、前記複数の安全確認操作部は、点灯部を有し、前記点灯部は、有効な安全確認操作部と無効な安全確認操作部とで点灯方法又は点灯色が異なるように構成されていてもよい。
【００３０】
このように構成すれば、運転ロックを解除するために複数の安全確認操作部を操作する必要がある場合と、１つ操作すれば解除できる場合などの区別を、安全確認操作部における点灯部の点灯方法や点灯色で判断するようにできる。例えば、複数の安全確認操作部を操作する必要がある場合は点灯部を点灯させ、１つを押せば運転ロックが解除できる場合は点灯部を点滅させることなどで区別できる。この点灯部は、点灯色を異ならせることでも有効／無効の区別ができる。
【００３１】
一方、本発明に係る機械式駐車設備は、前記いずれかの安全確認装置を備えている。
【００３２】
この構成により、入出庫時における目視による安全確認後に行なう安全確認操作部の操作を迅速に行なうことができるので、効率良く入出庫作業を行なうことができる。
【発明の効果】
【００３３】
本発明によれば、機械式駐車設備の駐車室内における安全確認をより適切かつ迅速に行うことが可能となる。
【図面の簡単な説明】
【００３４】
【図１】本発明の第１実施形態に係る安全確認装置の構成を示す模式図である。
【図２Ａ】図１に示す安全確認装置による制御の一部分を示すフロー図である。
【図２Ｂ】図１に示す安全確認装置による制御の他の部分を示すフロー図である。
【図３】図１に示す安全確認装置による制御の他の部分を示すフロー図である。
【図４】本発明の第２実施形態に係る安全確認装置の構成を示す模式図である。
【図５】図４に示す安全確認装置による制御の一部分を示すフロー図である。
【図６】本発明の第３実施形態に係る安全確認装置の構成を示す模式図である。
【図７】図６に示す安全確認装置による制御の一部分を示すフロー図である。
【図８】本発明の第４実施形態に係る安全確認装置の構成を示す模式図である。
【図９】本発明の第５実施形態に係る安全確認装置の構成を示す模式図である。
【図１０】本発明の第６実施形態に係る安全確認装置の構成を示す模式図である。
【図１１】本発明の第７実施形態に係る安全確認装置の構成を示す模式図である。
【発明を実施するための形態】
【００３５】
以下、本発明の実施形態を図面に基づいて説明する。以下の実施形態では、駐車室の一面に入出庫口が設けられ、駐車室内に車両を駐車した場合、車両の左右位置に利用者が移動するエリアがある例を説明する。この明細書及び特許請求の範囲の書類中における前後左右方向の概念は、図１に示す駐車室２の入出庫口３に向かった状態における前後左右方向の概念と一致するものとする。
【００３６】
また、以下の実施形態では、安全確認操作部として安全確認ボタンを例にし、この安全確認ボタンを押す操作を例に説明する。安全確認操作部としては、引く操作、レバー式のように傾ける操作の操作部であってもよく、押す操作に限定されるものではない。
【００３７】
図１に示すように、この実施形態の機械式駐車設備１における駐車室２は、一面に設けられた入出庫口３から車両Ｖ（以下の図では、四角で示す）を入出庫させ、中央部に設けられた車両配置部（例えば、パレット）５に停車させるようになっている。入口扉４が設けられた入出庫口３の一側方には、操作盤６が設けられており、この操作盤６によって入出庫操作が行なわれる。この実施形態では、操作盤６と制御装置７とが一体となった例としている。
【００３８】
そして、この機械式駐車設備１の以下に説明する安全確認装置１０〜１６には、上記駐車室２の内部に設定された複数の検知エリア２０〜２３と、それぞれの検知エリア２０〜２３毎に設けられた物体を検知するセンサ３０〜３３（３４〜３７）と、運転ロックを解除するために設けられた複数の安全確認ボタン５０，５１（５２〜５４）とが備えられている。
【００３９】
＜第１実施形態＞
図１に示す第１実施形態の安全確認装置１０は、車両Ｖを入庫させる車両配置部５の左側方に左検知エリア２０が設定され、右側方に右検知エリア２１が設定されている。また、車両配置部５の奥側である前部に前部検知エリア２２が設定され、入出庫口３と車両配置部５との間の後部に後部検知エリア２３が設定されている。このように車両配置部５の周囲である左右位置と、前後位置に複数の検知エリア２０〜２３が設定されている。
【００４０】
上記左検知エリア２０には、左部センサ３０が設けられ、右検知エリア２１には右部センサ３１が設けられている。この例では、左部センサ３０及び右部センサ３１として２本のセンサがそれぞれ設けられている。左部センサ３０及び右部センサ３１は、いずれか１本でも検知可能である。また、前部検知エリア２２には、駐車室２の左右方向全長で物体を検知する前部センサ３２が設けられている。さらに、入口側の後部検知エリア２３には、駐車室２の左右方向全長で物体を検知する後部センサ３３が設けられている。この実施形態では、入出庫口３の部分に、入出庫口センサ３４が設けられている。なお、この実施形態を含む以下の実施形態の入出庫口センサ３４は、入口扉４付近の安全も確認するように入口扉４の外側に配置されているが、入口扉４の内側に配置しても、入口扉４の閉鎖時当り面に埋め込むようにしてもよい。また、車両配置部５には、車両Ｖの有無を検知するための車両検知センサ３５が設けられている。
【００４１】
そして、この実施形態では、入出庫口３付近の左位置に左安全確認ボタン５０が設けられ、右位置に右安全確認ボタン５１が設けられている。左安全確認ボタン５０は、車両Ｖが停車した状態でも車両Ｖの左側方の左検知エリア２０を見渡せる位置に設けられている。右安全確認ボタン５１は、車両Ｖが停車した状態でも車両Ｖの右側方の右検知エリア２１を見渡せる位置に設けられている。これら複数の安全確認ボタン５０，５１の配設位置は、他の安全確認ボタン５１（又は５０）の位置から死角になりうる検知エリアを補うように、それぞれの検知エリア２０，２１を見渡せる位置に配設されている。
【００４２】
このように、車両配置部５の左右位置で車両Ｖから降りる人などを検知する位置にセンサ３０，３１が設けられ、入出庫口３付近で車両配置部５の左右位置への通路を通る人を検知する位置にセンサ３３，３４が設けられている。そして、安全確認ボタン５０，５１を入出庫口３付近の左右各々に配設し、左側の左部センサ３０が検知したら左側の左安全確認ボタン５０を有効にし、右側の右部センサ３１が検知したら右側の右安全確認ボタン５１を有効にするようにしている。これらの安全確認ボタン５０，５１は、上記車両検知センサ３５の車両検知（実車検知）又は未検知により、左部センサ３０の検知に対応して左安全確認ボタン５０を、右部センサ３１の検知に対応して右安全確認ボタン５１を、それぞれ独立して有効にするか、一方のセンサ３０，３１の検知によって両方を有効にするようにしてもよい。
【００４３】
このような安全確認装置１０によれば、上記複数の検知エリア２０〜２３においてセンサ３０〜３４のいずれかが人（以下、「利用者」ともいう）などの物体を検知すると運転ロックがかかり、入口扉４の閉鎖操作や呼び操作が不可能になる。これにより、安全確認ボタン５０，５１の一方又は両方が有効になる。複数の安全確認ボタン５０，５１は、運転ロックがかかるといずれかの安全確認ボタン５０，５１又は両方の安全確認ボタン５０，５１が有効になる。各々の安全確認ボタン５０，５１は、そのボタンを押すと無効になる。上記センサ３０〜３４による複数の検知エリア２０〜２３における人などの検知状態に応じて、上記複数の安全確認ボタン５０，５１を有効にし、有効な安全確認ボタン５０，５１の全てが押されて無効になることで運転ロックが解除されて、入口扉４の閉鎖操作や呼び操作が可能になる。これらの、検知エリアにおける物体検知に応じて各々の安全確認ボタン５０，５１を有効にし、有効な安全確認ボタン５０，５１が操作されるとその安全確認ボタン５０，５１を無効にし、全ての安全確認ボタン５０，５１が無効になると運転ロックを解除する制御は、制御装置７によって制御されている。詳細な制御の説明は後述する。
【００４４】
この安全確認装置１０を備えた機械式駐車設備１によれば、それぞれのセンサ３０〜３４の検知エリア２０〜２３に対応して見渡せる位置の安全確認ボタン５０，５１が有効になると、利用者はその位置まで行って安全確認ボタン５０，５１を押す必要があり、検知エリア２０〜２３内を見渡せる位置で安全確認をすることになり、より適切な安全確認が迅速にできる。つまり、例えば、操作盤６に安全確認ボタンを設置した場合、駐車室２内に車両Ｖがあると操作盤６と反対側が車両Ｖによって死角になる。そこで、操作盤６と反対側の出入口付近に安全確認ボタンを設置し、操作盤６と反対側のセンサが検知したらその反対側の安全確認ボタンを有効にする。これにより、利用者は操作盤６の反対側まで行って検知エリア内を安全確認して安全確認ボタンを押すことになり、より適切な安全確認を行なうことが可能となる。また、反対側の安全確認ボタンが無効な場合は安全確認のため反対側に行く必要がなく、安全確認を迅速に行うことが可能となる。
【００４５】
次に、図２Ａ、図２Ｂに基づいて、上記第１実施形態の安全確認装置１０による制御を説明する。図２Ａの左端に利用者の行動を示し、右側に安全確認装置１０における各ステップを示している。なお、以下の説明において、フロー図では、「左安全確認ボタン」は「左ボタン」、「右安全確認ボタン」は「右ボタン」、「最終安全確認ボタン」は「最終ボタン」、「左前部安全確認ボタン」は「左前ボタン」、「右前部安全確認ボタン」は「右前ボタン」、「左扉閉鎖ボタン」及び「右扉閉鎖ボタン」は「扉閉鎖ボタン」、と省略して記載する。
【００４６】
また、「有効状態１」とは、有効になった安全確認ボタン５０，５１を、個別に押して無効にする状態をいう。「有効状態２」とは、有効になった安全確認ボタン５０，５１のうち、どちらか一方を押して無効にすればもう一方のボタンも無効になる状態をいう。この場合、他のセンサが検知し、個別に安全確認ボタンが有効になった場合は、有効状態２は解除される。
【００４７】
このように、複数の安全確認ボタン５０，５１の全てが無効になることは、全ての安全確認ボタン５０，５１が各々押された場合の他、１つの安全確認ボタン５０（５１）が押されたことにより、条件によって他の安全確認ボタン５１（５０）が無効になることも含まれる。
【００４８】
図２Ａに示すように、入出庫を開始するための呼び操作を行なう。これにより入口扉４が開放する（Ｓ１）。そして、利用者が駐車室２内に入ることで、複数のセンサ３０〜３４の内のいずれかによって検知（ＯＮ）される。
【００４９】
例えば、利用者が入出庫口３から入り、入出庫口センサ３４又は後部センサ３３が人を検知すると（Ｓ２）、運転ロックがかかり（Ｓ３）、左安全確認ボタン５０と右安全確認ボタン５１の両方が有効になる（Ｓ４）。この有効状態は、入出庫口センサ３４又は後部センサ３３による検知のみであるため、有効状態２となる。つまり、入出庫口３付近のセンサ３４，３３のみが検知した場合は、左安全確認ボタン５０及び右安全確認ボタン５１の両方を有効にするが、どちらの安全確認ボタン５０，５１からでも駐車室２内を見渡せるので、どちらか一方の安全確認ボタン５０（５１）が押されたら、もう一方も押されたことにして無効としている。
【００５０】
そして、利用者が駐車室２内から出ることで、全てのセンサ３４，３３が未検知（ＯＦＦ）となる（Ｓ５）。この状態で、有効となっている安全確認ボタン５０，５１の表示切替えが行なわれる（Ｓ６）。安全確認ボタン５０，５１の表示切替えとしては、例えば、有効な安全確認ボタン５０，５１の点灯部（例えば、「ランプ」などであり、以下、「ランプ」ともいう）を点灯等させる。この安全確認ボタン５０，５１の表示切替えとしては、押しても他の安全確認ボタンが有効で運転ロックが解除しない場合と、押したら運転ロックが解除する場合とで、表示方法を変えることができる。表示方法を変える例としては、１つでは運転ロックが解除しない安全確認ボタンはランプの点灯や黄色ランプとすることができる。また、１つで運転ロックが解除する安全確認ボタンはランプの点滅や緑色ランプとすることができる。
【００５１】
その後、この例では、有効状態２で左安全確認ボタン５０と右安全確認ボタン５１との両方が有効になっているため（Ｓ４）、左安全確認ボタン５０又は右安全確認ボタン５１のいずれか一方を押すことで（Ｓ７）、両方の安全確認ボタン５０，５１が無効となり（Ｓ８）、全ての安全確認ボタンが無効となる（Ｓ９）。これにより、運転ロックが解除される（Ｓ１０）。
【００５２】
その後、入口扉閉鎖ボタン（操作盤６）が押されることで（Ｓ１１）、入口扉４が閉鎖して入出庫完了となる（Ｓ１２）。なお、用途などにより入口扉４を閉鎖しなくても呼び操作できる場合などは、入口扉閉鎖ボタンを押して入口扉４を閉鎖する操作は不要である。この点は、以下の実施形態においても同様である。
【００５３】
次に、例えば、入口扉４が開放した後、利用者が左検知エリア２０に入った場合を説明する。利用者が左検知エリア２０に入ると、左部センサ３０によって検知される（Ｓ１３）。これにより、運転ロックされる（Ｓ１４）。そして、左検知エリア２０における人の検知であるため、左安全確認ボタン５０が有効になる（Ｓ１５）。なお、車両Ｖが停車している場合などは右安全確認ボタン５１の位置から左検知エリア２０が見渡せないため、有効状態２となっている場合には、右安全確認ボタン５１は無効にされ、有効状態２が解除される（Ｓ１６）。つまり、左検知エリア２０の左部センサ３０が人を検知したら、同じ側にある左安全確認ボタン５０を有効にし、かつ右安全確認ボタン５１を押しても左安全確認ボタン５０を無効にできないようにする。
【００５４】
その後、利用者が駐車室２から出ることで、全てのセンサ３０〜３４が未検知（ＯＦＦ）となる（Ｓ１７）。この状態で、有効となっている安全確認ボタン５０の表示切替えが行なわれる（Ｓ１８）。安全確認ボタン５０の表示切替えとしては、例えば、有効な安全確認ボタン５０のランプを点灯等させるなどが行なわれる。表示切替え例としては上記した例と同一であるため、説明は省略する。
【００５５】
そして、この例では、左安全確認ボタン５０が押されることで（Ｓ１９）、左安全確認ボタン５０が無効となり（Ｓ２０）、全ての安全確認ボタンが無効となる（Ｓ９）。これにより、運転ロックが解除される（Ｓ１０）。その後、入口扉閉鎖ボタン（図示略：操作盤６）が押されることで（Ｓ１１）、入口扉４が閉鎖して作業完了となる（Ｓ１２）。
【００５６】
次に、図２Ｂに基づいて、利用者が車両配置部５の右検知エリア２１に入り、右部センサ３１で検知された場合を説明する。図２Ｂにおける記号「Ａ」と図２Ａの記号「Ａ」は連続した部分を示し、記号「Ｂ」と記号「Ｂ」は連続した部分を示している。
【００５７】
図示するように、右検知エリア２１において人を検知した場合、上記左検知エリア２０に人が入った場合と同様である。この場合には、右検知エリア２１と同じ側にある右安全確認ボタン５１が有効となり、かつ左安全確認ボタン５０を押しても右安全確認ボタン５１を無効にできないようにする。この例の場合、上記左検知エリア２０において人を検知した場合と逆となるのみであり、ステップ（Ｓ１３）と（Ｓ２１）、ステップ（Ｓ１４）と（Ｓ２２）、ステップ（Ｓ１５）と（Ｓ２３）、ステップ（Ｓ１６）と（Ｓ２４）、ステップ（Ｓ１７）と（Ｓ２５）、ステップ（Ｓ１８）と（Ｓ２６）、ステップ（Ｓ１９）と（Ｓ２７）、及びステップ（Ｓ２０）と（Ｓ２８）とが左右逆となる。これらのステップの説明は省略する。
【００５８】
一方、前部検知エリア２２において前部センサ３２が人を検知すると（Ｓ２９）、運転ロックがかかり（Ｓ３０）、左安全確認ボタン５０と右安全確認ボタン５１の両方が有効になる（Ｓ３１）。この有効状態は、車両配置部５の前方で利用者から見えにくい部分であるため、有効状態１となる。つまり、前部センサ３２が人などを検知した場合は、左安全確認ボタン５０及び右安全確認ボタン５１の両方を有効にし、両方のボタンが押されないと無効にならないようにする。そのため、有効状態２の場合は、有効状態２が解除される（Ｓ３２）。
【００５９】
なお、この例の場合、例えば、車両Ｖがなく、一方の安全確認ボタン５０（５１）の位置からもう一方の安全確認ボタン５１（５０）の検知エリアを見渡せる場合は、一方の安全確認ボタン５０（５１）が押されたらもう一方の安全確認ボタン５１（５０）も押されたことにする、有効状態２としてもよい。
【００６０】
その後、利用者が駐車室２から出ることで、全てのセンサ３０〜３４が未検知（ＯＦＦ）となる（Ｓ３３）。この状態で、有効となっている安全確認ボタン５０，５１の表示切替えが行なわれる（Ｓ３４）。この安全確認ボタン５０，５１の表示切替えも、上記した例と同一であるため、詳細な説明は省略する。
【００６１】
そして、この例の場合には、左安全確認ボタン５０が押されることで（Ｓ３５）、左安全確認ボタン５０が無効となり（Ｓ３６）、右安全確認ボタン５１が押されることで（Ｓ３７）、右安全確認ボタン５１が無効となり（Ｓ３８）、全ての安全確認ボタンが無効となる（Ｓ９）。これにより、運転ロックが解除される（Ｓ１０）。その後、入口扉閉鎖ボタン（図示略：操作盤６）が押されることで（Ｓ１１）、入口扉４が閉鎖して作業完了となる（Ｓ１２）。
【００６２】
なお、上記図２Ａ及び図２Ｂでは、各検知エリア２０〜２３において人を検知した例を説明したが、複数の検知エリア２０〜２３において人を検知した場合には、上記各検知エリア２０〜２３において人を検知した場合の複数のステップが並行して実行される。
【００６３】
次に、図３に基づいて、車両Ｖを出庫させる場合の、上記安全確認装置１０による安全確認例を説明する。この場合、利用者の検知後に上記駐車室２の車両配置部５から車両Ｖが無くなる。なお、図２Ａと同一のステップには同一符号を付して説明する。このフロー図では、「車両検知センサ」は「車両センサ」と省略して記載する。
【００６４】
利用者が出庫開始の呼び操作をすることで、入口扉４が開放する。この時、車両配置部５には車両Ｖが停車しているため、車両検知センサ３５はＯＮの状態である（Ｓ４０）。そして、人が駐車室２内に入ることでセンサ３０〜３４のいずれかによって検知される（Ｓ４１）。これにより、運転ロックがかかり（Ｓ４２）、人を検知したセンサに応じて左安全確認ボタン５０又は右安全確認ボタン５１が有効になる（Ｓ４３）。その後、人が車両Ｖに乗り込んで出庫することにより、車両検知センサ３５が未検知（ＯＦＦ）の状態になる（Ｓ４４）。車両Ｖが車両配置部５に無くなって車両検知センサ３５がＯＦＦになると、安全確認ボタン５０，５１のいずれの位置からも駐車室２内の全体が見渡せるようになる。そのため、センサ３０〜３４のいずれかの検知によって有効になった両方の安全確認ボタン５０，５１の内、いずれか一方の安全確認ボタン５０（５１）を無効にすれば、もう一方の安全確認ボタン５１（５０）も無効になる有効状態２となる（Ｓ４５）。
【００６５】
つまり、この例のように、安全確認ボタン５０，５１を入出庫口３付近の左右に設置した場合、車両Ｖが無い状態であれば、左右どちらの安全確認ボタン５０，５１の位置からも駐車室２内全体を見渡して同一の検知エリアの安全確認ができるので、どちらか一方の安全確認ボタン５０（５１）を押したら、もう一方の安全確認ボタン５１（５０）も押されたことにしている。
【００６６】
そして、利用者が車両Ｖに乗り込んで駐車室２内から出ることで、全てのセンサ３０〜３４が未検知（ＯＦＦ）となる（Ｓ４６）。これにより、この例でも、有効となっている安全確認ボタン５０，５１の表示切替えが行なわれる（Ｓ４７）。この安全確認ボタン５０，５１の表示切替えとしては、上記した例と同一であるため、詳細な説明は省略する。
【００６７】
その後、左安全確認ボタン５０又は右安全確認ボタン５１が押されることで（Ｓ４８）、左安全確認ボタン５０及び右安全確認ボタン５１が無効となる（Ｓ４９）。これにより、全ての安全確認ボタン５０，５１が無効となって、運転ロックが解除される（Ｓ５０）。その後、入口扉閉鎖ボタン（図示略：操作盤６）が押されることで（Ｓ１１）、入口扉４が閉鎖して作業完了となる（Ｓ１２）。
【００６８】
このように、例えば、車両Ｖが有る場合は左右片側のセンサ３０又は３１が検知したときのみ安全確認ボタン５０，５１を個別に有効にし、車両Ｖが無い場合は、駐車室２内すべてのセンサ３０〜３４のいずれかが検知したら安全確認ボタン５０，５１の両方を有効にすることができる。
【００６９】
なお、上記いずれの場合も、全ての安全確認ボタン５０，５１が無効となるまで運転ロックを継続している説明をしたが、有効な安全確認ボタン５０，５１の表示切替が行なわれたステップ以降は、その有効な安全確認ボタン５０，５１を押して無効化できるようになる。
【００７０】
また、上記実施形態では、個々のセンサによるフローを別々に説明したが、センサ３０〜３４の検知状況に応じて複数のフローが並行して実行される場合もある。また、複数の実施形態における構成を組み合わせることも可能であり、組み合わせた場合には複数の処理が並行して実行される。
【００７１】
さらに、駐車室２内の車両Ｖの有無等、状況により目視できるエリアが異なるので、駐車室２内の状況に応じて、安全確認ボタン５０，５１が有効になるセンサ３０〜３４の組合せを変更してもよい。
【００７２】
＜第２実施形態＞
次に、図４に基づいて、第２実施形態に係る安全確認装置１１を説明する。この実施形態の安全確認装置１１は、上記第１実施形態の安全確認装置１０に備えられた左安全確認ボタン５０及び右安全確認ボタン５１に加え、操作盤６に最終安全確認ボタン５２が設けられた例である。なお、上記図１に示す第１実施形態と同一の構成には、同一符号を付して、それらの説明は省略する。
【００７３】
図示するように、第２実施形態の安全確認装置１１には、上記図１に示す構成に加えて、操作盤６に最終安全確認ボタン５２が付加されている。この最終安全確認ボタン５２は、入口扉付近の安全確認、駐車車両内の無人確認等、駐車室２全体の安全の最終確認のために、最後に押して運転ロックを解除するものである。最終安全確認ボタン５２は、他の安全確認ボタン５０，５１が有効である間は押しても運転ロックが解除されない（無効にならない）ようになっている。最終安全確認ボタン５２を設ける位置としては、操作盤６又はその近辺が操作上好ましい。
【００７４】
図５は、図４に示す安全確認装置１１の制御の一部を示すフロー図である。なお、この実施形態は、一点鎖線Ｃ，Ｄで示す部分が変更された部分であり、前後のステップは上記第１実施形態における図２Ａ、図２Ｂのステップの一部を示し、他の同一ステップの記載は省略している。
【００７５】
図示するように、第２実施形態の安全確認装置１１によれば、上記図２Ａ，図２Ｂで説明したように、運転ロックがかかった後（Ｓ３，Ｓ１４，Ｓ２２，Ｓ３０）、これらのステップにおける左安全確認ボタン５０、右安全確認ボタン５１の有効と同時に最終安全確認ボタン５２も有効になる（Ｓ５１，Ｓ５２，Ｓ５３，Ｓ５４）。その後、図２Ａ又は図２Ｂのステップを経た後、最終安全確認ボタン５２以外の安全確認ボタン５０，５１が無効にされた後（Ｓ５５）、最終的に最終安全確認ボタン５２を押すことで（Ｓ５６）、全ての安全確認ボタン５０〜５２が無効となって運転ロックが解除される（Ｓ５７）。このように、この例では、左安全確認ボタン５０と右安全確認ボタン５１とが無効となる前に最終安全確認ボタン５２を押しても、最終安全確認ボタン５２は無効になることはない。
【００７６】
従って、第２実施形態の安全確認装置１１によれば、最終安全確認ボタン５２以外の有効な安全確認ボタン５０，５１の位置で安全確認をして安全確認ボタン５０，５１を押した後に最終安全確認ボタン５２を押さないと運転ロックが解除されないので、入口扉４付近の安全確認、駐車車両Ｖ内の無人確認等、駐車室２全体の安全の最終確認をさせたい場合などに利用できる。
【００７７】
＜第３実施形態＞
次に、図６に基づいて、第３実施形態に係る安全確認装置１２を説明する。この実施形態の安全確認装置１２は、駐車室２の前部（奥部）でも安全確認をするようにしている。なお、上記第１実施形態と同一の構成、及び上記第２実施形態と同一の構成には、同一符号を付して、それらの説明は省略する。
【００７８】
図示するように、第３実施形態の安全確認装置１２には、上記第２実施形態の安全確認装置１１の構成に加え、左検知エリア２０の前部に左前部安全確認ボタン５３が設けられ、右検知エリア２１の前部に右前部安全確認ボタン５４が設けられている。
【００７９】
図７は、図６に示す安全確認装置１２の制御の一部分を示すフロー図である。なお、この実施形態は、一点鎖線Ｅで示す部分が第１実施形態と異なる部分であり、図示する記号「Ａ」と「Ｂ」は上記第１実施形態の図２Ａに示す記号「Ａ」と「Ｂ」に連続した部分を示している。
【００８０】
図示するように、この実施形態の場合、前部検知エリア２２において前部センサ３２が人などを検知すると（Ｓ６０）、運転ロックがかかり（Ｓ６１）、左前部安全確認ボタン５３及び右前部安全確認ボタン５４が有効になる（Ｓ６２）。なお、先に有効状態２となっている場合には、有効状態２が解除される（Ｓ６３）。
【００８１】
その後、利用者が前部検知エリア２２から移動することで前部センサ３２はＯＦＦとなり（Ｓ６４）、有効となっている左前部安全確認ボタン５３又は右前部安全確認ボタン５４の表示切替えが行なわれる（Ｓ６５）。この安全確認ボタン５３，５４の表示切替えとしては、例えば、有効な安全確認ボタン５３，５４のランプを点灯等させるなどが行なわれる。上記した例と同一であるため、説明は省略する。
【００８２】
そして、左前部安全確認ボタン５３又は右前部安全確認ボタン５４が押されることで（Ｓ６６）、左前部安全確認ボタン５３及び右前部安全確認ボタン５４が無効となる（Ｓ６７）。この例では、前部検知エリア２２を左側方と右側方の両方から確認できるため、左前部安全確認ボタン５３又は右前部安全確認ボタン５４のいずれか一方が押されることで、両方が無効となるようにしている。
【００８３】
その後は、図２Ａに示すように、入出庫口３で安全確認ボタン５０，５１を押すことで全ての安全確認ボタン５０，５１，５３，５４が無効となり（Ｓ９）、運転ロックが解除される（Ｓ１０）。そして、入口扉閉鎖ボタン（図示略：操作盤６）が押されることで（Ｓ１１）、入口扉４が閉鎖して作業完了となる（Ｓ１２）。
【００８４】
なお、この例では、駐車室２内の前部で左右の行き来が困難な場合などのために、両側に前部安全確認ボタン５３，５４を設置したが、左右の行き来が可能な場合は安全確認ボタン５３，５４はどちらか一方にのみ設置してもよい。また、鏡等で目視できるエリアを補うことで、一方にのみ前部安全確認ボタンを設置するようにしてもよい。
【００８５】
さらに、上記左前部安全確認ボタン５３と右前部安全確認ボタン５４は、左部センサ３０又は右部センサ３１が検知した場合に有効とするようにしてもよい。この場合、左前部安全確認ボタン５３又は右前部安全確認ボタン５４を押した人が退出するまでの一定時間、又はその人が後部センサ３３及び入出庫口センサ３４を通過して退出したことを検知するまでは、左部センサ３０及び右部センサ３１を無効化して再び検知しないように制御すればよい。
【００８６】
また、この第３実施形態において、図６に示すように第２実施形態と同様に最終安全確認ボタン５２を備えるようにしてもよい。この場合、図７の「左前ボタン及び右前ボタン有効」（Ｓ６２）は図５のＣと同様に「最終ボタン、左前ボタン及び右前ボタン有効」となり、さらに記号「Ｂ」以降は図５のＤに置き換えられる。
【００８７】
＜第４実施形態＞
次に、図８に基づいて、第４実施形態における安全確認装置１３を説明する。この実施形態の安全確認装置１３は、上記第２実施形態における操作盤６に設けられた最終安全確認ボタン５２を右安全確認ボタンとした例である。なお、上記第２実施形態と同一の構成には同一符号を付し、その説明は省略する。
【００８８】
図示するように、操作盤６には最終安全確認ボタン５２が設けられ、出入口付近の操作盤６と反対側には左安全確認ボタン５０が設けられている。この場合、駐車室２内のいずれかのセンサ３０〜３４が検知すると操作盤６の最終安全確認ボタン５２が有効になる。一方、左安全確認ボタン５０と同じ側にある左部センサ３０が検知すると左安全確認ボタン５０が有効になる。
【００８９】
操作盤６の最終安全確認ボタン５２は、入口扉付近の安全確認、駐車車両内の無人確認等、駐車室全体の安全の最終確認のため最後に押すよう、左安全確認ボタン５０が有効である間は押しても無効にならなくてもよい。
【００９０】
この例では、操作盤６には最終安全確認ボタン５２を設けた例を説明したが、操作盤６に第１実施形態における右安全確認ボタン５１を設けるようにしてもよい。この場合、車両配置部５に車両Ｖがなくなり、操作盤６の右安全確認ボタン５１の位置から、左安全確認ボタン５０が有効になる左部センサ３０のエリアが見渡せる場合は、右安全確認ボタン５１が押されたら、左安全確認ボタン５０も押されたことにしてもよい。
【００９１】
＜第５実施形態＞
次に、図９に基づいて、第５実施形態における安全確認装置１４を説明する。この実施形態の安全確認装置１４は、上記第１実施形態における左安全確認ボタン５０の近傍に扉閉鎖部である左扉閉鎖ボタン６０を設け、右安全確認ボタン５１の近傍に扉閉鎖部である右扉閉鎖ボタン６１を設けた例である。なお、上記第１実施形態と同一の構成には同一符号を付し、その説明は省略する。
【００９２】
この安全確認装置１４の場合も、左部センサ３０が検知すると出入口付近の左位置に設けられた左安全確認ボタン５０が有効となり、右部センサ３１が検知すると出入口付近の右位置に設けられた右安全確認ボタン５１が有効となる。そして、この実施形態では、これらの左安全確認ボタン５０と右安全確認ボタン５１とを無効にした後、その場で左扉閉鎖ボタン６０又は右扉閉鎖ボタン６１を押すことで、迅速に入口扉４を閉鎖することができる。従って、利用者は迅速な安全確認と扉閉鎖を行なうことが可能となり、利便性向上を図ることができる。
【００９３】
＜第６実施形態＞
次に、図１０に基づいて、第６実施形態における安全確認装置１５を説明する。この実施形態の安全確認装置１５は、上記第１実施形態における後部センサ３３に代えて、入出庫口３と車両Ｖとの間で人を検知するための左後部センサ３６と右後部センサ３７とを設けた例である。なお、上記第１実施形態と同一の構成には同一符号を付して説明する。
【００９４】
図示するように、この第６実施形態の安全確認装置１５は、左部センサ３０と右部センサ３１とをそれぞれ１つのセンサとし、これらのセンサ３０，３１を車両Ｖの近い位置で検知するようにしている。これにより、車両Ｖから降りる人を検知するようにしている。また、これらのセンサ３０，３１を、前部における検知エリアを前部検知エリア２２まで延ばして、前部センサ３２を無くしている。さらに、左後部センサ３６を左部センサ３０と入出庫口センサ３４との間に設け、右後部センサ３７を右部センサ３１と入出庫口センサ３４との間に設け、これらの間を通過する人を検知するようにしている。左後部センサ３６及び右後部センサ３７としては、例えば、マット式のセンサを用いることができる。
【００９５】
この安全確認装置１５の場合、入出庫口センサ３４のみで検知した場合は左安全確認ボタン５０及び右安全確認ボタン５１の両方を有効にし、どちらか一方の安全確認ボタン５０，５１が押されて無効になったら、もう一方も無効にする。
【００９６】
また、左安全確認ボタン５０と同じ側にある左部センサ３０又は左後部センサ３６が検知したら左安全確認ボタン５０を有効にし、かつ右安全確認ボタン５１では左安全確認ボタン５０を無効にできないようにする。右安全確認ボタン５１と同じ側にある右部センサ３１又は右後部センサ３７が検知したら右安全確認ボタン５１を有効にし、かつ左安全確認ボタン５０では右安全確認ボタン５１を無効にできないようにする。さらに、両側のセンサ３０，３１，３６，３７が検知したら、両方の安全確認ボタン５０，５１を有効にし、各々別々に安全確認ボタン５０，５１を押して無効にするようにする（有効状態１）。
【００９７】
このような安全確認装置１５によれば、両側のセンサ３０，３１，３６，３７で人の侵入を適切に検知するとともに、検知した側のエリアを見渡せる位置で安全確認をし、安全確認ボタン５０，５１を押すようになり、より迅速で適切な安全確認を行なうことが可能となる。
【００９８】
なお、この実施形態において、上記第３実施形態における、前部検知エリア２２において物体を検知する前部センサ３２と、この前部センサ３２の検知によって有効となる左前部安全確認ボタン５３及び右前部安全確認ボタン５４を設けるようにしてもよい。このようにすれば、駐車室２内の前部における安全確認を強化することができる。
【００９９】
＜第７実施形態＞
次に、図１１に基づいて、第７実施形態における安全確認装置１６を説明する。この実施形態の安全確認装置１６は、上記第６実施形態における左後部センサ３６と右後部センサ３７とを無くした例である。なお、上記第６実施形態及び第１実施形態と同一の構成には、同一符号を付して、その説明は省略する。
【０１００】
図示するように、この第７実施形態の安全確認装置１６は、左部センサ３０と右部センサ３１とをそれぞれ１つのセンサとし、前部検知エリア２２から後部検知エリア２３まで延ばしている。
【０１０１】
この第７実施形態に係る安全確認装置１６によれば、車両Ｖの左側から降りる人、及び入出庫口３から車両左側に入る人を左部センサ３０で検知し、車両Ｖの右側から降りる人、及び入出庫口３から車両右側に入る人を右部センサ３１で検知することができる。この構成によれば、上記第６実施形態の安全確認装置１５に比べて装置費用を抑えることができる。
【０１０２】
この実施形態の安全確認装置１６でも、入出庫口センサ３４のみで検知した場合は左安全確認ボタン５０及び右安全確認ボタン５１の両方を有効にし、どちらか一方の安全確認ボタン５０，５１が押されて無効になったら、もう一方も無効にする。
【０１０３】
また、左安全確認ボタン５０と同じ側にある左部センサ３０が検知したら左安全確認ボタン５０を有効にし、かつ右安全確認ボタン５１では左安全確認ボタン５０を無効にできないようにする。右安全確認ボタン５１と同じ側にある右部センサ３１が検知したら右安全確認ボタン５１を有効にし、かつ左安全確認ボタン５０では右安全確認ボタン５１を無効にできないようにする。さらに、両側のセンサ３０，３１が検知したら、両方の安全確認ボタン５０，５１を有効にし、各々別々に安全確認ボタン５０，５１を押して無効にするようにする（有効状態１）。
【０１０４】
このような安全確認装置１６によれば、両側のセンサ３０，３１で人の侵入を適切に検知するとともに、検知した側のエリアを見渡せる位置で安全確認をし、安全確認ボタン５０，５１を押すようになり、迅速で適切な安全確認を行なうことが可能となる。
【０１０５】
なお、この実施形態においても、上記第３実施形態における、前部検知エリア２２において物体を検知する前部センサ３２と、この前部センサ３２の検知によって有効となる左前部安全確認ボタン５３及び右前部安全確認ボタン５４を設けるようにしてもよい。このようにすれば、駐車室２内の前部における安全確認を強化することができる。
【０１０６】
以上のように、上記いずれの安全確認装置１０〜１６によっても、機械式駐車設備１の駐車室２において、駐車室２内に設定された複数の検知エリア２０〜２３におけるいずれかのセンサ３０〜３７の検知に応じて、その検知した検知エリア２０〜２３のいずれかを見渡すことができる位置に設けられた各々の安全確認ボタン５０〜５４によって安全確認を適切にできるので、迅速な入出庫作業を行なうことが可能となる。
【０１０７】
つまり、駐車室２内の見渡しにくいエリアに対応して各々センサを設けたので、駐車室２への入庫時に車両Ｖに乗って人が入る場合でも、出庫時に車両Ｖがある状態で入出庫口３から車両Ｖの左右位置に人が入る場合でも、効果的に人の出入りの検知を行い、利用者はそれらの出入りしたエリアが見渡せる場所に設けられた複数の安全確認ボタン５０〜５４のいずれかの位置で安全確認をすることになり、より適切な安全確認を迅速に行なうことが可能となる。
【０１０８】
しかも、車両Ｖが駐車した状態でも駐車室２の内部を見渡して安全確認ボタン５０〜５４のいずれかを押すことができるので、駐車室２内に人を閉じ込めるおそれもなくなる。
【０１０９】
なお、上記した実施形態では、駐車室２の中央部に車両Ｖを駐車する車両配置部５が設けられた駐車室２を例に説明したが、他の形状の駐車室であっても適用でき、駐車室の形態、検知エリアの設定、センサの種類や配置などは、上記実施形態に限定されるものではない。
【０１１０】
また、上記した複数の実施形態における構成、又は一部の構成を組み合わせてもよく、上記各実施形態の構成に限定されるものではない。
【０１１１】
さらに、上記した実施形態は一例を示しており、各実施形態を組み合わせることも可能であり、本発明の要旨を損なわない範囲で種々の構成を変更してもよく、本発明は上記した実施形態に限定されるものではない。
【産業上の利用可能性】
【０１１２】
本発明に係る安全確認装置は、入出庫部における安全確認を適切かつ迅速に行って効率良く入出庫したい機械式駐車設備において利用できる。
【符号の説明】
【０１１３】
１  機械式駐車設備
２  駐車室
３  入出庫口
４  入口扉
５  車両配置部（パレット）
６  操作盤
７  制御装置
１０  安全確認装置（第１実施形態）
１１  安全確認装置（第２実施形態）
１２  安全確認装置（第３実施形態）
１３  安全確認装置（第４実施形態）
１４  安全確認装置（第５実施形態）
１５  安全確認装置（第６実施形態）
１６  安全確認装置（第７実施形態）
２０  左検知エリア
２１  右検知エリア
２２  前部検知エリア
２３  後部検知エリア
３０  左部センサ
３１  右部センサ
３２  前部センサ
３３  後部センサ
３４  入出庫口センサ
３５  車両検知センサ
３６  左後部センサ
３７  右後部センサ
５０  左安全確認ボタン（安全確認操作部）
５１  右安全確認ボタン（安全確認操作部）
５２  最終安全確認ボタン（最終安全確認操作部）
５３  左前部安全確認ボタン（前部安全確認操作部）
５４  右前部安全確認ボタン（前部安全確認操作部）
６０  左扉閉鎖ボタン（扉閉鎖部）
６１  右扉閉鎖ボタン（扉閉鎖部）
Ｖ  車両
【図１】
0006329465.tif 000002
【図２Ａ】
0006329465.tif 000003
【図２Ｂ】
0006329465.tif 000004
【図３】
0006329465.tif 000005
【図４】
0006329465.tif 000006
【図５】
0006329465.tif 000007
【図６】
0006329465.tif 000008
【図７】
0006329465.tif 000009
【図８】
0006329465.tif 000010
【図９】
0006329465.tif 000011
【図１０】
0006329465.tif 000012
【図１１】
0006329465.tif 000013